(57)【要約】【課題】ケーブルを、その巻き半径を維持した状態で建物壁に配線することができるケーブル引出部の構造及びケーブル引出部形成装置を提供する。また、ケーブルを、その巻き半径を維持した状態で建物壁に配線することができるケーブル引出部に用いられる巻回部材、取付枠及びプレートを提供する。【解決手段】壁Ｈ内に設置されたボックス１２には取付枠１３が取付けられ、その取付枠１３には、ボックス１２内へ延びる軸受け１６が形成されている。壁Ｈ内に配線された光ファイバケーブルＦは、巻回部材１４の巻回部１９に巻回され、巻回部１９の半径は、光ファイバケーブルＦの最小曲げ半径に設定されている。そして、巻回部１９に形成された軸部１９ｂを軸受け１６に支持させることにより、巻回部材１４がボックス１２内に設置され、巻回部１９により光ファイバケーブルＦの最小曲げ半径が維持されている。【選択図】      図４
2005024978.tif 000002
【特許請求の範囲】
【請求項１】
建物壁内に配線されたケーブルを、前記建物壁の表側に引出可能とするために、前記建物壁に形成されるケーブル引出部の構造であって、
前記建物壁には、前記ケーブルを外周に巻回可能とする巻回部材が設けられ、当該巻回部材は、その一部又は全部が、建物壁内に収容された状態で設置されていることを特徴とするケーブル引出部の構造。
【請求項２】
前記巻回部材は、建物壁内からその表側へ取り出し可能に設置されていることを特徴とする請求項１に記載のケーブル引出部の構造。
【請求項３】
前記巻回部材は、同巻回部材に対するケーブルの巻回方向が建物壁の厚み方向となるように設置されていることを特徴とする請求項１又は請求項２に記載のケーブル引出部の構造。
【請求項４】
前記巻回部材には、前記ケーブルを保持するための保持部が設けられていることを特徴とする請求項１〜請求項３のいずれか一項に記載のケーブル引出部の構造。
【請求項５】
前記ケーブルは光ファイバケーブルであり、前記巻回部材は、前記光ファイバケーブルを同光ファイバケーブルの最小曲げ半径で巻回可能に形成されていることを特徴とする請求項１〜請求項４のいずれか一項に記載のケーブル引出部の構造。
【請求項６】
前記巻回部材は、建物壁に設けられた設置手段により当該建物壁に設置されていることを特徴とする請求項１〜請求項５のいずれか一項に記載のケーブル引出部の構造。
【請求項７】
前記設置手段は、前面に開口を有する箱状に形成され、当該開口が建物壁の表側に臨むように前記建物壁内に設置されるボックスにより形成され、前記巻回部材は前記ボックスに設けられた取付部により同ボックス内に取付けられた状態で建物壁に設置されていることを特徴とする請求項６に記載のケーブル引出部の構造。
【請求項８】
前記設置手段は、前記建物壁に設置される取付枠により形成され、前記巻回部材は前記取付枠に設けられた取付部により同取付枠の内側に取付けられた状態で建物壁に設置されていることを特徴とする請求項６に記載のケーブル引出部の構造。
【請求項９】
前記設置手段は、前記建物壁の表側に前記ケーブルを引き出すために同建物壁に形成された透孔を覆うべく当該建物壁の表面に設置されるプレートにより形成され、前記巻回部材は前記プレートに設けられた取付部により同プレートの裏側に取付けられた状態で建物壁に設置されていることを特徴とする請求項６に記載のケーブル引出部の構造。
【請求項１０】
前記プレートには建物壁の表側に配線されたケーブルをプレート内に挿入可能とする接続口が形成されていることを特徴とする請求項９に記載のケーブル引出部の構造。
【請求項１１】
建物壁内に配線されたケーブルを、前記建物壁の表側に引出可能とするケーブル引出部を建物壁に形成するためのケーブル引出部形成装置であって、
前面に開口を有する箱状に形成され、当該開口が建物壁の表側に臨むように前記建物壁内に設置されるボックスと、当該ボックスに設けられた取付部により同ボックス内に取付けられるとともに、前記ケーブルを外周に巻回可能とする巻回部材とより構成され、前記建物壁内に設置されたボックス内に、前記巻回部材を取付けることにより、当該巻回部材が、その一部又は全部が建物壁内に収容された状態で設置されることを特徴とするケーブル引出部形成装置。
【請求項１２】
建物壁内に配線されたケーブルを、前記建物壁の表側に引出可能とするケーブル引出部を建物壁に形成するためのケーブル引出部形成装置であって、
建物壁に設置される取付枠と、当該取付枠に設けられた取付部により同取付枠の内側に取付けられるとともに、前記ケーブルを外周に巻回可能とする巻回部材とより構成され、前記建物壁に設置された取付枠の内側に、前記巻回部材を取付けることにより、当該巻回部材が、その一部又は全部が建物壁内に収容された状態で設置されることを特徴とするケーブル引出部形成装置。
【請求項１３】
建物壁内に配線されたケーブルを、前記建物壁の表側に引出可能とするケーブル引出部を建物壁に形成するためのケーブル引出部形成装置であって、
前面に開口を有する箱状に形成され、当該開口が建物壁の表側に臨むように、当該建物壁内に設置されるボックスと、建物壁に設置される取付枠と、当該取付枠に設けられた取付部により同取付枠の内側に取付けられるとともに、前記ケーブルを外周に巻回可能とする巻回部材とより構成され、建物壁内に設置されたボックスに取付枠を取付け、前記巻回部材を、前記取付枠の内側に取付けるとともに、ボックス内に収容することにより、当該巻回部材が、その一部又は全部が建物壁内に収容された状態で設置されることを特徴とするケーブル引出部形成装置。
【請求項１４】
建物壁内に配線されたケーブルを、前記建物壁の表側に引出可能とするケーブル引出部を建物壁に形成するためのケーブル引出部形成装置であって、
前記建物壁の表側に前記ケーブルを引き出すために建物壁に形成された透孔を覆うべく建物壁の表面に設置されるプレートと、当該プレートに設けられた取付部により同プレートの裏側に取付けられるとともに、前記ケーブルを外周に巻回可能とする巻回部材とより構成され、前記建物壁の表面に設置されたプレートの裏側に前記巻回部材を取付けることにより、当該巻回部材が、その一部又は全部が建物壁内に収容された状態で設置されることを特徴とするケーブル引出部形成装置。
【請求項１５】
建物壁内に配線されたケーブルを、前記建物壁の表側に引出可能とするケーブル引出部を建物壁に形成するためのケーブル引出部形成装置であって、
前面に開口を有する箱状に形成され、当該開口が建物壁の表側に臨むように、当該建物壁内に設置されるボックスと、前記建物壁の表側に前記ケーブルを引き出すために建物壁に形成された透孔を覆うべく建物壁の表面に設置されるプレートと、当該プレートに設けられた取付部により同プレートの裏側に取付けられるとともに、前記ケーブルを外周に巻回可能とする巻回部材とより構成され、前記巻回部材を、建物壁の表面に設置されたプレートの裏側に取付けるとともに、ボックス内に収容することにより、当該巻回部材が、その一部又は全部が建物壁内に収容された状態で設置されることを特徴とするケーブル引出部形成装置。
【請求項１６】
建物壁内に配線されたケーブルを、前記建物壁の表側に引出可能とするために、前記建物壁に形成されるケーブル引出部に用いられ、前記ケーブルを外周に巻回可能とするとともに、その一部又は全部が建物壁内に収容された状態で設置されることを特徴とする巻回部材。
【請求項１７】
前記建物壁に設けられた設置手段により当該建物壁に設置されることを特徴とする請求項１６に記載の巻回部材。
【請求項１８】
前記設置手段は、前面に開口を有する箱状に形成され、当該開口が建物壁の表側に臨むように前記建物壁内に設置されるボックスにより形成され、前記ボックスに設けられた取付部により同ボックス内に取付けられた状態で建物壁に設置されることを特徴とする請求項１７に記載の巻回部材。
【請求項１９】
前記設置手段は、前記建物壁に設置される取付枠により形成され、前記取付枠に設けられた取付部により同取付枠の内側に取付けられた状態で建物壁に設置されることを特徴とする請求項１７に記載の巻回部材。
【請求項２０】
前記設置手段は、前記建物壁の表側に前記ケーブルを引き出すために同建物壁に形成された透孔を覆うべく当該建物壁の表面に設置されるプレートにより形成され、前記プレートに設けられた取付部により同プレートの裏側に取付けられた状態で建物壁に設置されることを特徴とする請求項１７に記載の巻回部材。
【請求項２１】
建物壁内に配線されたケーブルを、前記建物壁の表側に引出可能とするために、前記建物壁に形成されるケーブル引出部に用いられ、建物壁に設置されるとともに、前記ケーブルを外周に巻回可能とする巻回部材を取付けるための取付部を備えていることを特徴とする取付枠。
【請求項２２】
建物壁内に配線されたケーブルを、前記建物壁の表側に引出可能とするために、前記建物壁に形成されるケーブル引出部に用いられ、建物壁に設置されるとともに、前記ケーブルを外周に巻回可能とする巻回部を備えることを特徴とする取付枠。
【請求項２３】
建物壁内に配線されたケーブルを、前記建物壁の表側に引出可能とするために、前記建物壁に形成されるケーブル引出部に用いられ、前記建物壁の表側に前記ケーブルを引き出すために同建物壁に形成された透孔を覆うべく当該建物壁の表面に設置されるとともに、前記ケーブルを外周に巻回可能とする巻回部材を取付けるための取付部を備えていることを特徴とするプレート。
【請求項２４】
建物壁内に配線されたケーブルを、前記建物壁の表側に引出可能とするために、前記建物壁に形成されるケーブル引出部に用いられ、前記建物壁の表側に前記ケーブルを引き出すために同建物壁に形成された透孔を覆うべく当該建物壁の表面に設置されるとともに、前記ケーブルを外周に巻回可能とする巻回部を備えることを特徴とするプレート。
【発明の詳細な説明】
【０００１】
【発明の属する技術分野】
本発明は、建築物内で屋内配線により建物壁内に配線された光ファイバケーブルを、巻いた状態で壁面に設置するために形成されるケーブル引出部の構造、ケーブル引出部形成装置、巻回部材、取付枠及びプレートに関するものである。
【０００２】
【従来の技術】
従来より、建築物内の建物壁内には、ケーブルとして光ファイバケーブルが配線されている。そして、その建物壁には、その光ファイバケーブルを室内で使用する機器と接続可能とするために、光ファイバケーブルの引出部が形成されている（例えば、特許文献１参照。）。図６に示すように、図示しない建物壁内には函５１が設置され、その函５１の壁面を貫通して第１光ファイバケーブル５２が函５１内に導入されている。また、第１光ファイバケーブル５２には、第１の接続手段５３により第２光ファイバケーブル５４が接続されている。函５１の正面には取付け枠５５がネジ止めされ、その取付け枠５５に固着された第２の接続手段５６に前記第２光ファイバケーブル５４が接続されている。
【０００３】
前記函５１の内部には中空状をなす保護部材５７が設けられ、その保護部材５７内には第１光ファイバケーブル５２及び第２光ファイバケーブル５４の余長部分が、それら第１及び第２光ファイバケーブル５２，５４の最小曲げ半径（許容最小曲率）を超えるように巻回された状態で収容されている。そして、巻回された第１及び第２光ファイバケーブル５２，５４は自身の弾性力により、半径を大きくする方向へ力が作用するため、保護部材５７の内壁に接触し、前記最小曲げ半径を確保した状態で収容されている。
【０００４】
【特許文献１】
特許第３３６０９９６号
【０００５】
【発明が解決しようとする課題】
ところが、上記従来の光ファイバケーブルの引出部の構造において、第１及び第２光ファイバケーブルがその軸線方向へ引張られると、第１及び第２光ファイバケーブルはその巻き半径が小さくなってしまう虞があるという問題があった。
【０００６】
本発明は、上記従来技術に存在する問題点に着目してなされたものである。その目的とするところは、ケーブルを、その巻き半径を維持した状態で建物壁に配線することができるケーブル引出部の構造及びケーブル引出部形成装置を提供することにある。また、その他の目的とするところは、ケーブルを、その巻き半径を維持した状態で建物壁に配線することができるケーブル引出部に用いられる巻回部材、取付枠及びプレートを提供することにある。
【０００７】
【課題を解決するための手段】
上記問題点を解決するために、請求項１に記載の発明は、建物壁内に配線されたケーブルを、前記建物壁の表側に引出可能とするために、前記建物壁に形成されるケーブル引出部の構造であって、前記建物壁には、前記ケーブルを外周に巻回可能とする巻回部材が設けられ、当該巻回部材は、その一部又は全部が、建物壁内に収容された状態で設置されていることを要旨とする。
【０００８】
請求項２に記載の発明は、請求項１に記載のケーブル引出部の構造において、前記巻回部材は、建物壁内からその表側へ取り出し可能に設置されていることを要旨とする。
【０００９】
請求項３に記載の発明は、請求項１又は請求項２に記載のケーブル引出部の構造において、前記巻回部材は、同巻回部材に対するケーブルの巻回方向が建物壁の厚み方向となるように設置されていることを要旨とする。
【００１０】
請求項４に記載の発明は、請求項１〜請求項３のいずれか一項に記載のケーブル引出部の構造において、前記巻回部材には、前記ケーブルを保持するための保持部が設けられていることを要旨とする。
【００１１】
請求項５に記載の発明は、請求項１〜請求項４のいずれか一項に記載のケーブル引出部の構造において、前記ケーブルは光ファイバケーブルであり、前記巻回部材は、前記光ファイバケーブルを同光ファイバケーブルの最小曲げ半径で巻回可能に形成されていることを要旨とする。
【００１２】
請求項６に記載の発明は、請求項１〜請求項５のいずれか一項に記載のケーブル引出部の構造において、前記巻回部材は、建物壁に設けられた設置手段により当該建物壁に設置されていることを要旨とする。
【００１３】
請求項７に記載の発明は、請求項６に記載のケーブル引出部の構造において、前記設置手段は、前面に開口を有する箱状に形成され、当該開口が建物壁の表側に臨むように前記建物壁内に設置されるボックスにより形成され、前記巻回部材は前記ボックスに設けられた取付部により同ボックス内に取付けられた状態で建物壁に設置されていることを要旨とする。
【００１４】
請求項８に記載の発明は、請求項６に記載のケーブル引出部の構造において、前記設置手段は、前記建物壁に設置される取付枠により形成され、前記巻回部材は前記取付枠に設けられた取付部により同取付枠の内側に取付けられた状態で建物壁に設置されていることを要旨とする。
【００１５】
請求項９に記載の発明は、請求項６に記載のケーブル引出部の構造において、前記設置手段は、前記建物壁の表側に前記ケーブルを引き出すために同建物壁に形成された透孔を覆うべく当該建物壁の表面に設置されるプレートにより形成され、前記巻回部材は前記プレートに設けられた取付部により同プレートの裏側に取付けられた状態で建物壁に設置されていることを要旨とする。
【００１６】
請求項１０に記載の発明は、請求項９に記載のケーブル引出部の構造において、前記プレートには建物壁の表側に配線されたケーブルをプレート内に挿入可能とする接続口が形成されていることを要旨とする。
【００１７】
請求項１１に記載の発明は、建物壁内に配線されたケーブルを、前記建物壁の表側に引出可能とするケーブル引出部を建物壁に形成するためのケーブル引出部形成装置であって、前面に開口を有する箱状に形成され、当該開口が建物壁の表側に臨むように前記建物壁内に設置されるボックスと、当該ボックスに設けられた取付部により同ボックス内に取付けられるとともに、前記ケーブルを外周に巻回可能とする巻回部材とより構成され、前記建物壁内に設置されたボックス内に、前記巻回部材を取付けることにより、当該巻回部材が、その一部又は全部が建物壁内に収容された状態で設置されることを要旨とする。
【００１８】
請求項１２に記載の発明は、建物壁内に配線されたケーブルを、前記建物壁の表側に引出可能とするケーブル引出部を建物壁に形成するためのケーブル引出部形成装置であって、建物壁に設置される取付枠と、当該取付枠に設けられた取付部により同取付枠の内側に取付けられるとともに、前記ケーブルを外周に巻回可能とする巻回部材とより構成され、前記建物壁に設置された取付枠の内側に、前記巻回部材を取付けることにより、当該巻回部材が、その一部又は全部が建物壁内に収容された状態で設置されることを要旨とする。
【００１９】
請求項１３に記載の発明は、建物壁内に配線されたケーブルを、前記建物壁の表側に引出可能とするケーブル引出部を建物壁に形成するためのケーブル引出部形成装置であって、前面に開口を有する箱状に形成され、当該開口が建物壁の表側に臨むように、当該建物壁内に設置されるボックスと、建物壁に設置される取付枠と、当該取付枠に設けられた取付部により同取付枠の内側に取付けられるとともに、前記ケーブルを外周に巻回可能とする巻回部材とより構成され、建物壁内に設置されたボックスに取付枠を取付け、前記巻回部材を、前記取付枠の内側に取付けるとともに、ボックス内に収容することにより、当該巻回部材が、その一部又は全部が建物壁内に収容された状態で設置されることを要旨とする。
【００２０】
請求項１４に記載の発明は、建物壁内に配線されたケーブルを、前記建物壁の表側に引出可能とするケーブル引出部を建物壁に形成するためのケーブル引出部形成装置であって、前記建物壁の表側に前記ケーブルを引き出すために建物壁に形成された透孔を覆うべく建物壁の表面に設置されるプレートと、当該プレートに設けられた取付部により同プレートの裏側に取付けられるとともに、前記ケーブルを外周に巻回可能とする巻回部材とより構成され、前記建物壁の表面に設置されたプレートの裏側に前記巻回部材を取付けることにより、当該巻回部材が、その一部又は全部が建物壁内に収容された状態で設置されることを要旨とする。
【００２１】
請求項１５に記載の発明は、建物壁内に配線されたケーブルを、前記建物壁の表側に引出可能とするケーブル引出部を建物壁に形成するためのケーブル引出部形成装置であって、前面に開口を有する箱状に形成され、当該開口が建物壁の表側に臨むように、当該建物壁内に設置されるボックスと、前記建物壁の表側に前記ケーブルを引き出すために建物壁に形成された透孔を覆うべく建物壁の表面に設置されるプレートと、当該プレートに設けられた取付部により同プレートの裏側に取付けられるとともに、前記ケーブルを外周に巻回可能とする巻回部材とより構成され、前記巻回部材を、建物壁の表面に設置されたプレートの裏側に取付けるとともに、ボックス内に収容することにより、当該巻回部材が、その一部又は全部が建物壁内に収容された状態で設置されることを要旨とする。
【００２２】
請求項１６に記載の発明は、建物壁内に配線されたケーブルを、前記建物壁の表側に引出可能とするために、前記建物壁に形成されるケーブル引出部に用いられ、前記ケーブルを外周に巻回可能とするとともに、その一部又は全部が建物壁内に収容された状態で設置されることを要旨とする。
【００２３】
請求項１７に記載の発明は、請求項１６に記載の巻回部材において、前記建物壁に設けられた設置手段により当該建物壁に設置されることを要旨とする。
請求項１８に記載の発明は、請求項１７に記載の巻回部材において、前記設置手段は、前面に開口を有する箱状に形成され、当該開口が建物壁の表側に臨むように前記建物壁内に設置されるボックスにより形成され、前記ボックスに設けられた取付部により同ボックス内に取付けられた状態で建物壁に設置されることを要旨とする。
【００２４】
請求項１９に記載の発明は、請求項１７に記載の巻回部材において、前記設置手段は、前記建物壁に設置される取付枠により形成され、前記取付枠に設けられた取付部により同取付枠の内側に取付けられた状態で建物壁に設置されることを要旨とする。
【００２５】
請求項２０に記載の発明は、請求項１７に記載の巻回部材において、前記設置手段は、前記建物壁の表側に前記ケーブルを引き出すために同建物壁に形成された透孔を覆うべく当該建物壁の表面に設置されるプレートにより形成され、前記プレートに設けられた取付部により同プレートの裏側に取付けられた状態で建物壁に設置されることを要旨とする。
【００２６】
請求項２１に記載の発明は、建物壁内に配線されたケーブルを、前記建物壁の表側に引出可能とするために、前記建物壁に形成されるケーブル引出部に用いられ、建物壁に設置されるとともに、前記ケーブルを外周に巻回可能とする巻回部材を取付けるための取付部を備えていることを要旨とする。
【００２７】
請求項２２に記載の発明は、建物壁内に配線されたケーブルを、前記建物壁の表側に引出可能とするために、前記建物壁に形成されるケーブル引出部に用いられ、建物壁に設置されるとともに、前記ケーブルを外周に巻回可能とする巻回部を備えることを要旨とする。
【００２８】
請求項２３に記載の発明は、建物壁内に配線されたケーブルを、前記建物壁の表側に引出可能とするために、前記建物壁に形成されるケーブル引出部に用いられ、前記建物壁の表側に前記ケーブルを引き出すために同建物壁に形成された透孔を覆うべく当該建物壁の表面に設置されるとともに、前記ケーブルを外周に巻回可能とする巻回部材を取付けるための取付部を備えていることを要旨とする。
【００２９】
請求項２４に記載の発明は、建物壁内に配線されたケーブルを、前記建物壁の表側に引出可能とするために、前記建物壁に形成されるケーブル引出部に用いられ、前記建物壁の表側に前記ケーブルを引き出すために同建物壁に形成された透孔を覆うべく当該建物壁の表面に設置されるとともに、前記ケーブルを外周に巻回可能とする巻回部を備えることを要旨とする。
【００３０】
【発明の実施の形態】
（第１の実施形態）
以下、本発明を具体化したケーブル引出部の構造、ケーブル引出部形成装置、巻回部材及び取付枠の一実施形態を図１〜図４にしたがって説明する。
【００３１】
図１に示すように、建築物内には建物壁としての壁Ｈが立設され、その壁Ｈ内にケーブルとしての光ファイバケーブルＦが配線されている。なお、前記壁Ｈは、一対の壁材Ｗを相対向するように立設することにより形成され、前記光ファイバケーブルＦは一対の壁材Ｗ内に配線されている。前記壁Ｈの表面を形成する一方の壁材Ｗには前記光ファイバケーブルＦを壁Ｈの表側に引き出すための透孔Ｓが穿設されている。前記光ファイバケーブルＦの先端部にはプラグＰが接続され、このプラグＰには接続部としてのコネクタＣが接続可能であり、当該コネクタＣは別の光ファイバケーブルＦのプラグＰと接続するために設けられる。このコネクタＣは四角筒状をなすとともに、両端部にプラグＰを接続可能に形成されている。また、コネクタＣの中央外面には外方へ突出する当接片ｔが形成されている。
【００３２】
壁Ｈ内に配線された光ファイバケーブルＦを、前記壁Ｈの表側に引出可能とするために前記壁Ｈには光ファイバケーブル引出部１１が形成されている。そして、その光ファイバケーブル引出部１１の構造を形成するためには、ケーブル引出部形成装置が使用される。前記ケーブル引出部形成装置は、壁Ｈ内に設置される四角箱状をなすボックス１２と、壁Ｈの表側から前記ボックス１２に取付けられて同壁Ｈに設置される四角枠状をなす取付枠１３と、前記ボックス１２内に収容される巻回部材１４とより構成されている。
【００３３】
まず、前記ボックス１２について説明する。合成樹脂材料製又は金属材料製のボックス１２は、前面に開口を有する縦長四角箱状に形成されている。ボックス１２の上下方向への長さは、ボックス１２の左右方向への長さより長く形成されている。また、ボックス１２の内部には前記巻回部材１４の後側部が収容可能に形成されている。ボックス１２の上下両側壁には、それぞれ一対のケーブル挿通孔１２ａが穿設されている。さらに、ボックス１２の上下両側壁の内面には、それぞれボス部１２ｂが突設され、各ボス部１２ｂ内にはビスＢを螺合可能とするナット（図示せず）が埋設されている。
【００３４】
次に、前記取付枠１３について説明する。合成樹脂材料製の取付枠１３の上下に相対向する内周縁には、それぞれ前記ビスＢを挿通可能な挿通孔１５が形成されている。取付枠１３の左右に相対向する内周縁には、それぞれ取付部としての軸受け１６が形成され、各軸受け１６はそれぞれ側面視三角形状に形成されているとともに、取付枠１３の後側（背面側）に向かって先細となるように形成されている。各軸受け１６には円孔状をなす支持孔１６ａが形成され、各支持孔１６ａはそれぞれ軸受け１６を貫通して形成されている。また、各軸受け１６の相対向する内面にはそれぞれ案内溝１６ｂが凹設され、各案内溝１６ｂはそれぞれ取付枠１３の前側（正面側）から前記支持孔１６ａに向かって直線状に延びるように形成されている。
【００３５】
取付枠１３の前面下部には、平面視略Ｗ状をなす取付突部１７が突設されている。この取付突部１７の中央部には、前記コネクタＣの端部を収容可能とする収容凹部１７ａが凹設されている。また、取付突部１７の前端面、即ち、前記収容凹部１７ａの両側の端面には、それぞれ取付ビス１８を螺合可能とする取付孔１７ｂが形成されている。各取付孔１７ｂ内にはそれぞれナット（図示せず）が埋設されている。そして、取付枠１３は壁Ｈの表面を形成する一方の壁材Ｗに設置され、その設置状態で、壁Ｈ（ボックス１２内）に、巻回部材１４（巻回部１９）の取付部としての前記軸受け１６を設け、前記巻回部材１４（巻回部１９）を壁Ｈに設置する設置手段として機能する。
【００３６】
次に、前記巻回部材１４について説明する。合成樹脂製の巻回部材１４は円柱状をなす巻回部１９と、その巻回部１９の両端面から延設された軸部１９ｂとから構成されている。前記巻回部１９はその外周に前記光ファイバケーブルＦを巻回可能に形成され、同巻回部１９の両端の周縁にはリブ１９ａが巻回部１９の径方向へ延びるように形成されている。また、巻回部１９において、前記リブ１９ａ以外の部位における半径は６０ｍｍに設定され、この６０ｍｍは、光ファイバケーブルＦの伝送損失の増加や信頼性低下を殆ど発生させずに曲げることができる、光ファイバケーブルＦの最小曲げ半径となっている。巻回部１９を形成する円柱の両端面において、同両端面の円の中心点となる位置には、前記巻回部１９の軸方向へ延びる軸部１９ｂが外方へ突設されている。巻回部１９の下面には薄板状をなす延設部２０が設けられ、この延設部２０は巻回部１９の下面から下方へ鉛直に延びるように形成されている。その延設部２０の下端部には、平面視略横Ｃ字状をなす保持部２１が設けられている。この保持部２１の内側には前記コネクタＣの端部が挿入可能に形成されている。
【００３７】
次いで、図３に示すように、前記透孔Ｓを覆うために、同壁Ｈの表面を形成する一方の壁材Ｗに設置されるプレート２２について説明する。合成樹脂製のプレート２２は、略縦長板状をなすとともに、長さ方向に沿った中央部には膨出部２２ｂが形成されている。プレート２２の外郭は、取付枠１３の外郭より大きく形成され、プレート２２の後面（背面）の周縁部において、下縁部を除いた位置には周縁リブ２２ａが形成されている。図４に示すように、前記膨出部２２ｂの下部は下方に開口するように形成され、その開口により接続口２２ｃが構成されている。この接続口２２ｃは、巻回部材１４に巻回された光ファイバケーブルＦと、壁Ｈの表側に配線された別のケーブルとを接続するために当該別のケーブルをプレート２２内に挿入可能とするためにプレート２２に形成されている。
【００３８】
さて、ケーブル引出部形成装置を用いて壁Ｈに光ファイバケーブル引出部１１を形成するには、まず、図２に示すように、建築物内に立設された柱（図示せず）にボックス１２を固定し、そのボックス１２を挟むように一対の壁材Ｗを立設するとともに、一方の壁材Ｗをボックス１２の前面開口側に立設する。即ち、ボックス１２は壁Ｈ内に設置される。次に、ボックス１２の開口が一方の壁材Ｗの表側に臨むように、壁材Ｗを切除し、透孔Ｓを穿設する。次いで、取付枠１３の上下両挿通孔１５からビスＢを、ボックス１２の上下両ボス部１２ｂに螺合して、取付枠１３を壁Ｈの表側からボックス１２の前面側に取付けるとともに、取付枠１３を壁Ｈの表面に設置する。すると、一対の軸受け１６がボックス１２内に延設され、設置手段としての取付枠１３によりボックス１２内の左右に相対向する内側面にそれぞれ取付部としての軸受け１６が設けられる。
【００３９】
続いて、ボックス１２の下側のケーブル挿通孔１２ａから、壁Ｈ内に配線された光ファイバケーブルＦをボックス１２内に引込み、さらに、ボックス１２内から透孔Ｓ内、即ち取付枠１３内を通過させて壁Ｈの表側へ引き出す。そして、その引き出された光ファイバケーブルＦの先端にプラグＰを接続し、そのプラグＰを保持部２１の上側からその内部に挿入する。さらに、そのプラグＰにコネクタＣの上端を接続した後、プラグＰを引き上げてコネクタＣの上端側を保持部２１内に挿入するとともに、当接片ｔの上面を保持部２１の下面に当接させる。すると、光ファイバケーブルＦの先端部がプラグＰ及びコネクタＣを介して保持部２１に保持されるとともに、同光ファイバケーブルＦには、コネクタＣにより保持部２１の下側から別の光ファイバケーブルＦが接続可能な状態になる。
【００４０】
次に、保持部２１を始点として、巻回部１９の外周面に対して光ファイバケーブルＦを時計回りとなるように巻き付ける。すると、光ファイバケーブルＦが巻回部１９によって、前記最小曲げ半径（６０ｍｍ）となるように巻回される。そして、巻回部材１４の側面視において、延設部２０が巻回部１９の前下部より下方へ延びるように、巻回部材１４の後側を、取付枠１３の内側からボックス１２内に挿入し、両軸部１９ｂをそれぞれ案内溝１６ｂ内に挿入する。
【００４１】
さらに、巻回部材１４をボックス１２内へ押し込むと、両軸部１９ｂはそれぞれ案内溝１６ｂにより支持孔１６ａに向かって案内され、その支持孔１６ａ内に挿入される。その結果、軸部１９ｂが軸受け１６に支持され、巻回部材１４がボックス１２内に収容されるとともに、取付枠１３の内側に取付けられる。このとき、巻回部材１４は、巻回部１９に対する光ファイバケーブルＦの巻回方向が、ボックス１２の深さ方向及び壁Ｈの厚み方向へ延びるとともに、軸部１９ｂが、ボックス１２の深さ方向に対して直交するボックス１２の左右方向（水平方向）へ延びるように、ボックス１２内に挿入される。巻回部材１４がボックス１２内に収容された状態では、巻回部材１４（巻回部１９）は、その後側部の一部が壁Ｈ内に収容された状態で壁Ｈに設置されるとともに、前側部が透孔Ｓから壁Ｈの表側に臨み、壁Ｈの表側に突出している。
【００４２】
また、巻回部材１４が壁Ｈに設置された状態では、保持部２１が壁Ｈの表側に臨んでいる。そして、コネクタＣの下端部を収容凹部１７ａ内に収容し、そのコネクタＣの前側に四角板状をなす取付板２３を配設した後、その取付板２３の両端から取付ビス１８を取付孔１７ｂに螺合する。すると、図３に示すように、その取付板２３により、コネクタＣが収容凹部１７ａから前方へ抜け出ることが防止される。また、コネクタＣの当接片ｔの下面が取付突部１７の上面に当接するため、コネクタＣが下方へ移動することなく取付枠１３の前面下部に固定される。
【００４３】
図３及び図４に示すように、巻回部材１４（巻回部１９）がボックス１２内に収容され、壁Ｈに設置された状態において、プラグＰが接続された光ファイバケーブルＦの先端側は、透孔Ｓ内から壁Ｈの表側に臨んでいる。また、その光ファイバケーブルＦの先端側は、巻回部１９の上側から下方に向かって延びるため、取付枠１３内の上部から下方へ向かって延びるように配設され、さらに、コネクタＣの下端が下方へ臨んでいる。
【００４４】
次いで、図４に示すように、プレート２２の周縁リブ２２ａが取付枠１３の外周に位置するように、同プレート２２を壁Ｈの表面を形成する一方の壁材Ｗに接合するとともに、膨出部２２ｂの内側に壁Ｈ表面から突出した巻回部１９の一部、延設部２０、保持部２１及び取付突部１７を収容する。その結果、透孔Ｓをはじめ、その透孔Ｓ内から壁Ｈの表側へ突出した巻回部材１４、光ファイバケーブルＦ、保持部２１等はプレート２２に覆われる。また、そのプレート２２の下方にコネクタＣの下端が臨む状態に配設されている。そして、ケーブル引出部形成装置により壁Ｈには、光ファイバケーブル引出部１１が形成され、その光ファイバケーブル引出部１１の構造により、壁Ｈ内に配線された光ファイバケーブルＦが、透孔Ｓから壁Ｈの表側に臨むように配線されるとともに、壁Ｈの表側に引出可能に配線される。
【００４５】
即ち、光ファイバケーブル引出部１１の構造により、光ファイバケーブルＦを壁Ｈの表側に引出可能とするために、長さに余裕を持った余長部が巻回部１９の外周に巻回された状態で壁Ｈに配線される。そして、巻回部１９の半径が、光ファイバケーブルＦの最小曲げ半径（６０ｍｍ）に設定されているため、前記余長部が最小曲げ半径となる状態で巻回、配線される。そのため、余長部により、例えば、プラグＰを別種類のプラグに変更するために、光ファイバケーブルＦの先端を切断しても長さに余裕を持つことができ、後の接続作業の際に、光ファイバケーブルＦを壁Ｈの表側に引き出すことが可能となる。
【００４６】
さて、光ファイバケーブルＦが壁Ｈに配線された状態で、光ファイバケーブルＦを壁Ｈの表側に引き出す際に、その軸線方向となる下方へ引張られたとする。このとき、光ファイバケーブルＦは、その巻き半径が収縮しようとするが、光ファイバケーブルＦは巻回部１９の外周面に巻き着くのみで、巻回部１９の半径より小さくなることはない。従って、光ファイバケーブルＦは引張られても、その巻き半径が維持され、光ファイバケーブルＦの最小曲げ半径が維持される。
【００４７】
上記実施形態によれば、以下のような効果を得ることができる。
（１）壁Ｈ内のボックス１２内に、光ファイバケーブルＦが巻回された巻回部材１４を収容、設置して光ファイバケーブル引出部１１の構造とした。そのため、万一、光ファイバケーブルＦがその軸線方向へ引張られても、巻回部１９により光ファイバケーブルＦの巻き半径である最小曲げ半径を維持することができる。従って、光ファイバケーブルＦの配線状態で、最小曲げ半径が小さくなり、光ファイバケーブルＦの伝送損失の増加や信頼性低下を招くといった不具合を殆ど発生させることがなくなる。
【００４８】
（２）巻回部材１４はボックス１２とは別体形成され、さらに壁Ｈとは別体形成されているため、巻回部材１４を壁Ｈの表側に引き出すことができる。従って、光ファイバケーブルＦを巻回部１９に巻回した後、巻回部材１４をボックス１２内に収容して壁Ｈに設置することができる。その結果、例えば、ボックス１２に一体化された巻回部１９に光ファイバケーブルＦを巻き付ける場合と比較して、光ファイバケーブルＦの巻回作業、ひいては、光ファイバケーブルＦの配線作業を容易に行うことができる。また、ボックス１２内に収容された光ファイバケーブルＦをボックス１２内から引き出す作業も、巻回部材１４をボックス１２内から取り出し、壁Ｈの表側に引き出した後、光ファイバケーブルＦを巻回部１９から解けばよいため、光ファイバケーブルＦの引出作業も容易に行うことができる。
【００４９】
（３）軸受け１６は、ボックス１２内の左右に相対向する位置に設けられ、その軸受け１６に軸部１９ｂを支持させることにより、巻回部材１４を、光ファイバケーブルＦの巻回方向が、ボックス１２の深さ方向及び壁Ｈの厚み方向へ延びるようにボックス１２内に設置することができる。即ち、巻回部材１４はボックス１２の奥行きを利用して同ボックス１２内に設置されている。そのため、ボックス１２の左右方向への開口幅が、光ファイバケーブルＦの最小曲げ半径（６０ｍｍ）よりも狭く形成されていても、巻回部材１４をボックス１２内に収容して壁Ｈに設置することを可能とすることができる。従って、巻回部材１４をボックス１２内に収容するために、前記最小曲げ半径より大きな開口幅を有する大型のボックスを用いる必要がなくなる。その結果、通常の電気ケーブルの配線工事と、光ファイバケーブルＦの配線工事とを、ボックス１２を区別する必要が無くなり、作業者のボックス１２の区別に係る負担を減らすことができる。
【００５０】
（４）光ファイバケーブルＦが巻回部１９の上側から下方へ向かって延びるように、巻回部材１４が壁Ｈに設置されている。そのため、プラグＰが接続口２２ｃへ臨むように光ファイバケーブルＦを配設することができ、接続口２２ｃからプレート２２内に挿入された別の光ファイバケーブルＦとの接続作業を容易に行うことが可能となる。
【００５１】
（５）巻回部材１４がボックス１２内に設置された状態では、保持部２１が壁Ｈ表に露出しているため、その保持部２１に保持されたコネクタＣは壁Ｈの表面に配置される。そのため、巻き状態にある光ファイバケーブルＦが直線状に復帰しようとする作用により、光ファイバケーブルＦの先端が壁Ｈの裏側へ移動してしまう不具合を防止することができる。従って、光ファイバケーブルＦ同士を接続するときに、コネクタＣをボックス１２内から取り出したり、コネクタＣの位置を確認等する必要が無く、光ファイバケーブルＦ同士の接続作業を容易に行うことができる。
【００５２】
（６）光ファイバケーブルＦの先端にはプラグＰが接続され、そのプラグＰにはコネクタＣが接続されている。そのため、コネクタＣを使用することにより、光ファイバケーブルＦと別の光ファイバケーブルＦとを容易に接続することができる。
【００５３】
（７）巻回部材１４は、取付枠１３を用いることにより壁Ｈに設置されている。そのため、巻回部材１４を壁Ｈに直接的に固定する場合と比較して、巻回部材１４の設置及びその設置作業を容易に行うことができる。
【００５４】
（８）取付枠１３に延設された軸受け１６に軸部１９ｂを支持させるだけで、巻回部材１４、即ち巻回部１９を壁Ｈに設置することができる。そして、その軸受け１６には軸部１９ｂが挿入される支持孔１６ａ、さらに軸部１９ｂを支持孔１６ａに案内する案内溝１６ｂが形成されている。従って、軸部１９ｂを軸受け１６に支持させる作業を容易に行うことができ、壁Ｈに対する巻回部材１４の設置及びその設置作業を容易に行うことができる。
【００５５】
（９）ボックス１２と、取付枠１３と、巻回部材１４を使用することにより、光ファイバケーブルＦを巻回部１９に巻回した状態で壁Ｈに設置することができ、その巻回部１９により光ファイバケーブルＦの最小曲げ半径を維持することができる。従って、光ファイバケーブルＦの配線状態で、最小曲げ半径が小さくなり、光ファイバケーブルＦの伝送損失の増加や信頼性低下を招くといった不具合を殆ど発生させることがなくなる。
【００５６】
（１０）壁Ｈの表面から突出した巻回部材１４、取付枠１３はプレート２２により覆われるため、壁Ｈの美観の低下を防止することができる。また、プレート２２の下部に接続口２２ｃが形成されているため、壁Ｈの表側に配線された別の光ファイバケーブルＦをプレート２２内に容易に挿入することができ、両光ファイバケーブルＦを容易に接続することができる。
【００５７】
（１１）巻回部材１４は、その後側部がボックス１２内に収容された状態で壁Ｈに設置されている。そのため、巻回部材１４に巻回された光ファイバケーブルＦをボックス１２により保護することができる。
【００５８】
（１２）取付枠１３には取付突部１７が突設され、その取付突部１７の収容凹部１７ａにコネクタＣを固定することができる。従って、光ファイバケーブルＦの先端部を壁Ｈの表側の一定位置に位置決めすることができ、光ファイバケーブルＦ同士の接続作業を容易に行うことができる。
【００５９】
（第２の実施形態）
次に、本発明を具体化したケーブル引出部の構造、ケーブル引出部形成装置、巻回部材及びプレートの第２の実施形態を図５にしたがって説明する。なお、第２の実施形態は、第１の実施形態の取付枠１３を省略し、プレート２２を変更したのみの構成であるため、同様の部分についてはその詳細な説明を省略する。
【００６０】
図５に示すように、前記壁Ｈにおける光ファイバケーブル引出部３１を形成するためには、ケーブル引出部形成装置が使用される。前記ケーブル引出部形成装置は、前記ボックス１２と、前記巻回部材１４と、設置手段としてのプレート３２とより構成されている。前記ボックス１２及び巻回部材１４は第１の実施形態と構成が同じであるため、その詳細な説明を省略する。
【００６１】
前記プレート３２は、壁Ｈの透孔Ｓをはじめ、その透孔Ｓ内から壁Ｈの表側に突出した巻回部材１４を覆うために、壁Ｈの表面に設置される。合成樹脂製のプレート３２は、略縦長板状をなすとともに、長さ方向に沿った中央部にはその長さ方向へ延びる膨出部３２ｂが形成されている。プレート３２の外郭は、透孔Ｓより大きく形成され、プレート３２の後面（背面）の周縁部において、下縁部を除いた位置には周縁リブ３２ａが形成されている。前記膨出部３２ｂの下部は下方に開口するように形成され、その開口により前記接続口２２ｃと同様の接続口３２ｃが構成されている。
【００６２】
また、図５に破線に示すように、プレート３２の相対向する長側辺の中央部には、それぞれ取付部としての軸受け３３が形成されている。各軸受け３３はそれぞれ側面視三角形状に形成され、プレート３２の後側（背面側）に向かって先細となるように形成されている。各軸受け３３には円孔状をなす支持孔３３ａが形成され、各支持孔３３ａはそれぞれ軸受け３３を貫通して形成されている。また、各軸受け３３の相対向する内面にはそれぞれ案内溝３３ｂが凹設され、各案内溝３３ｂはそれぞれ軸受け３３の先端側から前記支持孔３３ａに向かって直線状に延びるように形成されている。そして、プレート２２は壁Ｈの表面を形成する一方の壁材Ｗの表面に設置され、その設置状態で、壁Ｈ（ボックス１２内）に、巻回部材１４（巻回部１９）の取付部としての前記軸受け３３を設け、前記巻回部材１４（巻回部１９）を壁Ｈに設置する設置手段として機能する。
【００６３】
さて、ケーブル引出部形成装置を用いて壁Ｈに光ファイバケーブル引出部３１を形成するには、第１の実施形態と同様に、ボックス１２を壁Ｈ内に設置し、同壁Ｈ内に配線された光ファイバケーブルＦをボックス１２内から透孔Ｓを貫通させて壁Ｈの表側に引き出す。そして、保持部２１に光ファイバケーブルＦの先端部を保持させた後、第１の実施形態と同様に、光ファイバケーブルＦを巻回部１９に巻回する。
【００６４】
次に、保持部２１及びコネクタＣが、膨出部３２ｂ内に収容されるように巻回部材１４をプレート３２の裏側へ配設し、両軸部１９ｂをそれぞれ案内溝３３ｂ内に挿入する。さらに、巻回部材１４をプレート３２側へ押し込むと、巻回部材１４がプレート３２の裏側に支持されて取付けられる。巻回部材１４がプレート３２の裏側に取付けられた状態では、光ファイバケーブルＦの先端側は巻回部１９の上側から下方へ向かって延びるように配設され、さらに、コネクタＣの下端が下方へ臨んでいる。最後に、プレート３２の周縁リブ３２ａが透孔Ｓの外周に位置するように壁Ｈの表面に接合するとともに、一対の軸受け３３及び巻回部材１４をボックス１２内に収容する。
【００６５】
すると、プレート３２が壁Ｈに設置されることにより、ボックス１２内に軸受け３３が設けられる。そして、その軸受け３３により、ボックス１２内に巻回部材１４が収容されるとともに、巻回部材１４（巻回部１９）が壁Ｈに設置される。巻回部材１４がボックス１２内に収容された状態では、巻回部材１４は、透孔Ｓから壁Ｈの表側に臨むように、ボックス１２内に後側の一部が収容され、巻回部材１４の前側はプレート２２の膨出部２２ｂ内に収容されている。また、巻回部材１４は、光ファイバケーブルＦの巻回方向が、壁Ｈの厚み方向及びボックス１２の深さ方向へ延びるとともに、軸部１９ｂが水平方向へ延びるようにボックス１２内に設置される。
【００６６】
その結果、巻回部材１４、光ファイバケーブルＦ、透孔Ｓ等はプレート３２に覆われ、そのプレート３２の下方にコネクタＣの下端が臨む状態に配設されている。そして、ケーブル引出部形成装置により壁Ｈには、光ファイバケーブル引出部３１の構造が形成される。
【００６７】
従って、第２の実施形態によれば、第１の実施形態に記載と同様の効果に加えて以下の効果を得ることができる。即ち、プレート３２に巻回部材１４を支持させた後、プレート３２を壁Ｈに接合すると同時に巻回部材１４をボックス１２内に収容した。そのため、取付枠１３を用いる必要が無いため、部材点数が少なくなり、光ファイバケーブル引出部３１を容易に形成することができる。
【００６８】
なお、各実施形態は以下のように変更してもよい。
・  各実施形態において、取付枠１３に取付部としての軸受け１６を設け、プレート２２に取付部としての軸受け３３を設けたが、以下のように変更してもよい。例えば、巻回部材１４の両端面において、軸部１９ｂの代わりに係合凹部を設け、軸受け１６，３３に前記係合凹部に係合可能な係合突起を形成する。そして、係合突起を係合凹部に係合させて取付枠１３、プレート２２に巻回部材１４を取り付けてもよい。
【００６９】
また、巻回部材１４の軸部１９ｂを省略するとともに、軸受け１６，３３の支持孔１６ａ，３３ａ及び案内溝１６ｂ，３３ｂを省略する。そして、巻回部１９の両端面を軸受け１６，３３に接着剤等で接着したり、軸受け１６，３３から巻回部１９にビス、釘等を打ち込んだりして、軸受け１６，３３を取付部として使用して巻回部材１４を取付枠１３又はプレート２２に取り付けてもよい。
【００７０】
・  各実施形態において、取付枠１３及びプレート２２からそれぞれ軸受け１６，３３を壁Ｈ内へ延びるように形成したが、軸受け１６，３３を省略するとともに、軸部１９ｂを支持可能とする取付部を取付枠１３の内周縁又はプレート２２の裏面に形成してもよい。
【００７１】
・  第２の実施形態では、プレート３２と巻回部材１４とを別体形成し、使用時に両部材１４，３２を組付けたが以下のように変更してもよい。即ち、プレート３２の軸受け３３に巻回部材１４又は巻回部１９のみを一体形成して、巻回部材１４又は巻回部１９のみを備えたプレート３２を形成する。そして、そのプレート３２よりなるケーブル引出部形成装置又はプレート３２と、ボックス１２とよりなるケーブル引出部形成装置を用いてケーブル引出部を形成してもよい。
【００７２】
・  第１の実施形態では、取付枠１３と巻回部材１４とを別体形成し、使用時に両部材１３，１４を組付けたが以下のように変更してもよい。即ち、取付枠１３の軸受け１６に巻回部材１４又は巻回部１９のみを一体形成して、巻回部材１４又は巻回部１９のみを備えた取付枠１３を形成する。そして、その取付枠１３よりなるケーブル引出部形成装置又は取付枠１３と、ボックス１２とよりなるケーブル引出部形成装置を用いてケーブル引出部を形成してもよい。
【００７３】
・  各実施形態では、ボックス１２と、巻回部材１４と、取付枠１３又はプレート３２とによりケーブル引出部形成装置を構成し、そのケーブル引出部形成装置を使用して光ファイバケーブル引出部１１，３１を形成したが、以下のように変更してもよい。即ち、ボックス１２を設置手段として壁Ｈ内に設置し、そのボックス１２の相対向する左右側壁の内面に、取付部としての軸受けを形成するとともに、その軸受けに支持孔及び案内溝のうち少なくとも支持孔を形成する。そして、巻回部材１４の軸部１９ｂを支持孔に支持させて、ボックス１２内に巻回部材１４を直接的に取付けるとともに、その一部又は全部が壁Ｈ内に収容されるように壁Ｈに設置してもよい。このとき、巻回部材１４の延設部２０及び保持部２１を省略し、巻回部１９のみをボックス１２に支持させる。また、ボックス１２と巻回部材１４とによりケーブル引出部形成装置が構成され、そのボックス１２と巻回部材１４とによりケーブル引出部が壁Ｈに形成される。
【００７４】
・  第１の実施形態では、ボックス１２と、取付枠１３と、巻回部材１４とによりケーブル引出部形成装置を構成し、そのケーブル引出部形成装置を使用して光ファイバケーブル引出部１１を形成したが、以下のように変更してもよい。ボックス１２を省略して、設置手段としての取付枠１３と、巻回部材１４とによりケーブル引出部形成装置を構成し、そのケーブル引出部形成装置を使用してケーブル引出部を形成する。即ち、取付枠１３を壁Ｈの表面に設置し、その取付枠１３から壁Ｈ内に延設された取付部としての軸受け１６に巻回部材１４を支持させて取付枠１３の内側に巻回部材１４を取付ける。そして、その取付枠１３により巻回部材１４が、その一部又は全部が壁Ｈ内に収容された状態で壁Ｈに設置され、ケーブル引出部が壁Ｈに設置される。
【００７５】
・  第２の実施形態では、ボックス１２と、プレート３２と、巻回部材１４とによりケーブル引出部形成装置を構成し、そのケーブル引出部形成装置を使用して光ファイバケーブル引出部３１を形成したが、以下のように変更してもよい。ボックス１２を省略して、設置手段としてのプレート３２と、巻回部材１４とによりケーブル引出部形成装置を構成し、そのケーブル引出部形成装置を使用してケーブル引出部を壁Ｈに形成する。即ち、プレート３２を壁Ｈの表面に設置し、そのプレート３２から壁Ｈ内に延設された取付部としての軸受け３３に巻回部材１４を支持させてプレート３２の裏側に巻回部材１４を取付ける。そして、そのプレート３２により巻回部材１４が、その一部又は全部が壁Ｈ内に収容された状態で壁Ｈに設置され、ケーブル引出部が壁Ｈに設置される。
【００７６】
・  壁Ｈを形成する一方の壁材Ｗの裏面に、巻回部材１４（巻回部１９）を壁Ｈに設置するための設置手段及び取付部として、同壁材Ｗの裏側へ延びる軸受けを一体形成し、その軸受けに巻回部材１４を支持させて、巻回部１９を壁Ｈ内に設置してケーブル引出部を形成してもよい。又はその軸受けに巻回部材１４又は巻回部１９のみを一体形成してもよい。
【００７７】
・  各実施形態では、光ファイバケーブルＦの先端にプラグＰを接続し、そのプラグＰにコネクタＣを接続したが、光ファイバケーブルＦの壁Ｈへの設置状態で、コネクタＣを省略してもよい。そして、光ファイバケーブルＦ同士を接続するときに、プラグＰにコネクタＣを接続してもよい。又は光ファイバケーブルＦの壁Ｈへの設置状態で、プラグＰとコネクタＣを省略してもよい。そして、光ファイバケーブルＦ同士を接続するときに、光ファイバケーブルＦにプラグＰ及びコネクタＣを接続してもよい。
【００７８】
・  各実施形態では、巻回部１９の半径を、光ファイバケーブルＦの最小曲げ半径となる６０ｍｍに設定したが、４０ｍｍ、２５ｍｍ、１５ｍｍ等の任意の値に変更してもよく、光ファイバケーブルＦの最小曲げ半径に設定されていなくてもよい。
【００７９】
・  各実施形態では、ケーブルとして光ファイバケーブルＦに具体化したが、ケーブルとして電線ケーブル、電話線、同軸ケーブル等に具体化してもよい。
・  各実施形態では、保持部２１が壁Ｈの表側に臨むように巻回部材１４が壁Ｈに設置されたが、保持部２１が壁Ｈの表側に臨まない状態で巻回部材１４が壁Ｈに設置されていてもよい。
【００８０】
・  保持部２１として、巻回部１９に巻回された光ファイバケーブルＦの外側から巻回部１９に取付け可能な保持部材を使用し、その保持部材により光ファイバケーブルＦを巻回部材１４に保持させてもよい。
【００８１】
・  各実施形態において、巻回部材１４のリブ１９ａ及び延設部２０並びに保持部２１のうちの少なくともいずれか一つを省略してもよい。例えば、延設部２０及び保持部２１を省略し、巻回部材１４を軸部１９ｂを備えた巻回部１９のみの構成としてもよい。このように構成した場合、第１の実施形態では、光ファイバケーブルＦに接続されたコネクタＣを、保持部２１に保持させることなく取付突部１７の収容凹部１７ａに直接的に保持させる。第２の実施形態では、例えば、プレート３２の膨出部３２ｂの内面に、コネクタＣを保持可能な保持突部を形成し、その保持突部にコネクタＣを保持させてもよい。
【００８２】
・  各実施形態では、巻回部材１４の側面視で時計周りに光ファイバケーブルＦを巻回し、巻回部材１４の前側の上方から下方に向かって光ファイバケーブルＦが延びるようにしたが以下のように変更してもよい。例えば、巻回部材１４の側面視で反時計周りに光ファイバケーブルＦを巻回し、巻回部材１４の前側の下部から上方に向かって光ファイバケーブルＦが延びるようにしてもよい。
【００８３】
・  各実施形態では、巻回部材１４はその後側部がボックス１２内に収容され、前側の一部分が壁Ｈの表面より外方へ突出した状態となったが以下のように変更してもよい。例えば、第１の実施形態では、ボックス１２の深さを深くするとともに、取付枠１３の軸受け１６の長さを壁Ｈの内方へ延長して支持孔１６ａの位置を第１の実施形態より後ろ側に形成する。なお、取付枠１３の取付突部１７と、巻回部材１４の延設部２０及び保持部２１は省略する。そして、ボックス１２に取付枠１３が取付けられ、軸受け１６に軸部１９ｂが支持された状態で、巻回部材１４の全体が壁Ｈ内に収容され、さらにボックス１２内に収容されていてもよい。第２の実施形態では、ボックス１２の深さを深くするとともに、プレート３２の軸受け３３の長さを壁Ｈの内方へ延長して支持孔３３ａの位置を第２の実施形態より後ろ側へ離れた位置に形成する。なお、巻回部材１４の延設部２０及び保持部２１は省略する。そして、壁Ｈにプレート３２が設置され、軸受け３３に軸部１９ｂが支持された状態で、巻回部材１４の全体が壁Ｈ内に収容され、さらにボックス１２内に収容されていてもよい。巻回部材１４の全体がボックス１２内に収容された状態では、光ファイバケーブルＦの先端のみが壁Ｈの表側に引き出され、プレート２２，３２により透孔Ｓが覆われている。
【００８４】
・  各実施形態では、巻回部１９に対する光ファイバケーブルＦの巻回方向がボックス１２の深さ及び壁Ｈの厚み方向へ延びるとともに、軸部１９ｂが左右方向へ水平に延びるように取付けたが以下のように変更してもよい。ボックス１２の左右方向への開口幅を拡大し、巻回部材１４の、巻回部１９に対する光ファイバケーブルＦの巻回方向がボックス１２の左右方向へ延びるとともに、軸部１９ｂがボックス１２の深さ方向及び壁Ｈの厚み方向へ延びるように取り付けてもよい。即ち、巻回部材１４がボックス１２に収容された状態で、巻回部材１４が、透孔Ｓから壁Ｈの表側に円形状に臨むように、同巻回部材１４を壁Ｈに設置してもよい。
【００８５】
・  各実施形態では、巻回部１９に光ファイバケーブルＦを巻回した後、巻回部材１４を壁Ｈ内に設置して光ファイバケーブル引出部１１，３１を構成したが以下のように変更してもよい。例えば、光ファイバケーブルＦが配線される前に、巻回部材１４のみを壁Ｈ内に設置し、巻回部１９のみを設置した状態で光ファイバケーブル引出部１１，３１を構成してもよい。
【００８６】
・  各実施形態では巻回部１９を円柱状に形成したが、四角柱状、三角柱状等に形成してもよい。
・  各実施形態では、巻回部材１４を略円柱状に形成したが、巻回部１９を円環状に形成してもよく、円盤状に形成してもよい。
【００８７】
・  各実施形態では、壁Ｈの裏側に配線された光ファイバケーブルＦを、ボックス１２内に引込んだが、建物壁としてのコンクリート壁内に光ファイバケーブルＦを配線し、同コンクリート壁内に埋設されたボックス１２に光ファイバケーブルＦを引込んで光ファイバケーブル引出部１１，３１を形成してもよい。
【００８８】
次に、上記実施形態及び別例から把握できる技術的思想について以下に追記する。
（１）前記巻回部材には軸部が突設され、前記軸部が前記取付部として設けられた軸受けに支持されることにより、巻回部材が建物壁に設置され、その設置状態では、巻回部材に対するケーブルの巻回方向が建物壁の厚み方向となるとともに、前記軸部が左右方向へ水平に延びていることを特徴とする請求項７〜請求項１０のいずれか一項に記載のケーブル引出部の構造。このように構成した場合、軸部を軸受けに支持させるのみで巻回部材を建物壁に設置することができ、巻回部材の建物壁への設置及びその設置作業を容易に行うことができる。
【００８９】
（２）前記ケーブルは、その先端側が、前記建物壁の表側で巻回部材の上側から下方に向かって延びるように巻回部材に巻回されていることを特徴とする請求項１〜請求項１０のいずれか一項に記載のケーブル引出部の構造。
【００９０】
（３）前記巻回部材は、前記保持部が建物壁の表側に臨むように設置されていることを特徴とする請求項４〜請求項１０のいずれか一項に記載のケーブル引出部の構造。
【００９１】
（４）前記光ファイバケーブルが巻回部の外周に巻回された状態では、同光ファイバケーブルの先端部に、別の光ファイバケーブルと接続するための接続部が設けられていることを特徴とする請求項５〜請求項１０のいずれか一項に記載のケーブル引出部の構造。
【００９２】
【発明の効果】
本発明によれば、ケーブルを、その巻き半径を維持した状態で建物壁に配線することができる。また、ケーブルを、その巻き半径を維持した状態で建物壁に配線することができるケーブル引出部に用いられる巻回部材、取付枠及びプレートを提供することができる。
【図面の簡単な説明】
【図１】第１の実施形態のケーブル引出部形成装置を示す分解斜視図。
【図２】光ファイバケーブルを巻回部材に巻回した状態を示す斜視図。
【図３】取付枠及び巻回部材を壁に設置した状態を示す斜視図。
【図４】光ファイバケーブル引出部を示す断面図。
【図５】第２の実施形態の光ファイバケーブル引出部を示す断面図。
【図６】従来のケーブルの引出部の構造を示す斜視図。
【符号の説明】
Ｃ…接続部としてのコネクタ、Ｆ…ケーブルとしての光ファイバケーブル、Ｈ…建物壁、Ｓ…透孔、１１，３１…ケーブル引出部としての光ファイバケーブル引出部、１２…設置手段としてのボックス、１３…設置手段としての取付枠、１４…巻回部材、１６，３３…取付部としての軸受け、１９…巻回部、２１…保持部、３２…設置手段としてのプレート、３２ｃ…接続口。
【図１】
2005024978.tif 000003
【図２】
2005024978.tif 000004
【図３】
2005024978.tif 000005
【図４】
2005024978.tif 000006
【図５】
2005024978.tif 000007
【図６】
2005024978.tif 000008